(57)【特許請求の範囲】
【請求項１】
有端状の布状体を、該布状体の両端部に形成された複数のループを噛み合わせて共通孔を形成し、形成された共通孔に接合用ピンを挿通することによって無端状に形成するのに使用する布状体接合補助具であって、
複数の針が配設された第１ブロックと第２ブロックとからなり、
第１ブロックには帯状体を配設し、
第２ブロックには第１ブロックの帯状体を通して第２ブロック側に折り返すための折り返し部材を配設し、
折り返してきた帯状体と第１ブロックとを任意の位置で接続可能に形成したことを特徴とする布状体接合補助具。
【請求項２】
帯状体をベルベットファスナの片側とし、ベルベットファスナのもう片方を第１ブロックに配設することによって折り返してきた帯状体と第１ブロックとを任意の位置で接続可能に形成した請求項１記載の布状体接合補助具。
【発明の詳細な説明】
【０００１】
【発明の属する技術分野】
本発明は、有端状の布状体を、該帯体の両端部に形成された複数のループを噛み合わせて共通孔を形成し、形成された共通孔に接合用ピンを挿通することによって無端状に形成するのに使用する布状体接合補助具に関する。
特には、フェルトやカンバス、抄紙網等の製紙用布や不織布製造用ベルト、汚泥脱水機用等の脱水ろ布の接合補助具に関する。
【０００２】
【従来の技術】
従来より、製紙機械に使用されるフェルトやカンバス等や汚泥脱水機に使用される脱水ろ布は機械の構造や便宜上の点から、両端部にループを形成して有端状に製造され、有端状のまま機械のロール間に掛け入れられ、機械上で両端部を突き合わせ、ループを噛み合わせて形成された共通孔に接合用ピンを挿通して無端状にして使用されることが多い。
【０００３】
通常、ループは端部の経糸を折り返して形成したり、金属製のフックを取り付けたりして、周知の手段で形成される。共通孔に接続用ピンを挿通させるためには、例えばロール上等で、端部を突き合わせ、ループを噛み合わせた状態で接続ピンを挿通するまで保持しておく必要がある。
【０００４】
しかし、保持しておくには大勢の人で布状体の自重に逆らって引っ張って保持しなくてはならず、作業は極めて困難であった。また、紙の生産性向上のために製紙機械が広巾になるに伴って布状体も広巾になったり、紙の品質向上のために布状体の構造が多重になったりして重量が増加したため、作業はますます困難になってきていた。さらに、接続部のマークを紙につけないために、できるだけループを小さくするようになり、接続ピンの挿通も困難になって作業に長時間を要していた。
【０００５】
そこで、接続ピンを挿通するまで、両端部をループを噛み合わせて突き合わせた状態で保持しておくための接合補助具が提案された。例えば、特開昭５２−１４４４７４号はファスナを取り付けたテープを布状体の両端に縫いつけておき、ファスナを閉じることによって、両端を突き合わせた状態に保持し、接続ピンを挿通した後テープを除去するというものである。
【０００６】
実公昭５９−９０４０号は針を備えた２個のブロックをバネで連結したもので、布状体の両端にブロックを針を刺して取り付け、バネの力で両端を突き合わせた状態に保持するものである。
【０００７】
しかし、特開昭５２−１４４４７４号のものはテープを布状体に縫いつける位置決めが難しく、テープを縫いつける時にミシンの傷が布状体の全巾についてしまい、また、製作が面倒で高価になってしまうという欠点があった。
【０００８】
実公昭５９−９０４０号のものは、構造が簡単で安価に作成でき、持ち運び、使いまわしが可能という利点はあるものの、バネを使用しているために両端部を突き合わせる位置の微調整が困難で、位置が決定するまでブロックの着脱を数回繰り返さなくてはならず、かんと時間を要した。また、その際に布状体に多くの傷をつけてしまうという欠点があった。
【０００９】
【発明が解決しようとする課題】
本発明は、従来技術の問題点に鑑み、構造が簡単で安価に作成でき、持ち運び、使いまわしが可能で、両端部を突き合わせる位置の微調整が可能な接合補助具を提供することを目的とする。
【００１０】
【課題を解決するための手段】
本発明は、上記の目的を達成するために、複数の針が配設された第１ブロックと第２ブロックを使用し、第１ブロックに帯状体を配設し、第２ブロックには第１ブロックの帯状体を通して第２ブロック側に折り返すための折り返し部材を配設し、折り返してきた帯状体と第１ブロックとを任意の位置で接続可能に形成した。
【００１１】
帯状体と第１ブロックの接続は、特に限定されず、ズボンのベルトのようにベルトに小さな間隔で孔を設け、第１ブロックには孔に層通させて固定するピン状のものを設けても良いし、インシュロックタイを使用しても良いが、ベルベットファスナを用いるのが接続、取り外しが簡単で、ブロック間の微調整も可能で、安価で、強度も十分で好ましい。
【００１２】
針は、布状体に刺し込むことが可能で、引っ張り強度に耐え得れば良く、金属性の針をブロックに埋め込んだりして配設できる。布状体から抜けにくいように力がかかる方向に斜めに傾けて設けるのが好ましい。帯状体も特に限定されず、引っ張り強度に耐え得れば良いが、前述したようにベルベットファスナ自体を用いるのが好ましい。
【００１３】
上記のように構成されているため、第１ブロックと第２ブロックを布状体の両端部近傍にそれぞれ刺し込んで固定し、第１ブロックに配設された帯状体を、第２ブロックに配設された折り返し部材に通して折り返し、２つのブロックを引き寄せ、任意の位置で折り返した帯状体を第１ブロックと接続させることにより、布状体の両端部を共通孔が形成できる位置に引き寄せつつ、接合用ピンを挿通する間、該位置に保持しておくことができる。
【００１４】
【発明の実施の形態】
発明の実施の形態を実施例にもとづき図面を参照して説明する。
図１は、本発明の実施例である接合補助具を示す側面図である。
図１において、第１ブロック１に針３を埋め込んで固着する。針３はブロックが布状体から抜けにくいように力がかかる方向に傾斜をつけて埋め込み固着する。また、帯状体４を強力に固着する。また、ベルベットファスナ６を上面に固着する。
【００１５】
一方、第２ブロック２には、針３を第１ブロックと同様に埋め込んで固着し、折り返し部材５を帯状体４に対向してコの字型に突出するように強力に固着する。本実施例では、ブロックを上下に３分割で構成し、これに針３と折り返し部材５の形状に合わせた溝を形成し、この溝に針３、折り返し部材５を接着剤と共に羽目合わせ、３分割したブロックをネジ（図示せず）で上下から締め込むことにより、針３、折り返し部材５のブロックからの離脱を防止した。ベルベットファスナ６は接着剤と前記のネジで固着した。勿論これに限定されるものではなく、簡単に離脱しないように固着されていれば良い。
第１ブロック１に固着された帯状体４は、第２ブロック２に固着された折り返し部材５に通して折り返され、折り返された帯状体４は第１ブロック１に固着されているベルベットファスナ６に接続される。本実施例では帯状体４はベルベットファスナ６でもある。
【００１６】
図２は、図１に示した実施例の、下側の針３が突出している側からみた平面図である。
本実施例では、第１ブロック１、第２ブロック２の形状は共に円形とし、針３は第１ブロック１、第２ブロック２ともに５本ずつ、傾斜をつけて配設し、折り返し部材５はコの字型のものを使用した。勿論これに限定されるものではなく、ブロックの形状は四角形等でも良く、針３は何本配設しても良いし、必ずしも傾斜をつける必要はない。折り返し部材５は帯状体４を通して折り返すことが可能であれば良い。
【００１７】
図３は、本発明の接合補助具の使用方法を説明する説明図である。
従来と同様に、布状体７は製紙機械に掛け入れられ、ロール上等で、突き合わされる。この時に、図に示されているように、一方の布状体７の端部に第１ブロック１の針３を刺し込んで布状体７に一時的に接続し、もう一方の布状体７の端部に第２ブロック２の針３を刺し込んで布状体７に一時的に接続する。
そして、第１ブロック１の帯状体４を第２ブロック２の折り返し部材５に通して折り返し、第１ブロック１の方向に引き寄せ、布状体７の間隔を調整し、両端のループ８が噛み合って共通孔９が形成されたところで帯状体４と第１ブロック１を接続して、共通孔９が形成された状体に保持する。そして、この共通孔９に接続ピンを挿通し、挿通した後、第１ブロック１、第２ブロック２を取り外すのである。なお、本発明の接合補助具は、布状体の巾に応じて、複数設置して使用する。
【００１８】
【発明の効果】
本発明は、以上説明したように構成されているため、以下に記載されているような効果を奏する。
布状体の両端部を突き合わせる位置の微調整が可能で、構造が簡単で、安価に作成でき、持ち運び、使いまわしが可能である。
【００１９】
【図面の簡単な説明】
【図１】本発明の実施例である接合補助具を示す側面図である。
【図２】図１に示した実施例の、下側の針３が突出している側からみた平面図である。
【図３】本発明の接合補助具の使用方法を説明する説明図である。
【符号の説明】
１  第１ブロック
２  第２ブロック
３  針
４  帯状体
５  折り返し部材
６  ベルベットファスナ
７  布状体
８  ループ
９  共通孔
【図１】
0003943177.tif 000002
【図２】
0003943177.tif 000003
【図３】
0003943177.tif 000004